(57)【要約】【課題】回動により開閉するカバーの回動力を緩和して、カバーが外れてしまったり、破損してしまったりすること防止する。【解決手段】カバー２０をハウジング１０に対して回動することでカバー２０の開閉を行い、カバー２０を開いた時にカード２の挿抜を行うカードコネクタ１において、カバー２０が必要以上に開くのを抑制する片持ち梁形状の長片２８と、カバー２０の開きが所定量以上になると、長片２８と面接触する当接部１０ａ１２とを有する。【選択図】  図５
2004335398.tif 000002
【特許請求の範囲】
【請求項１】
ハウジング（１０）に対して開閉式のカバー（２０）を開いた時にカード（２）の挿抜がなされるカードコネクタ（１）において、
前記カバー（２０）又はハウジング（１０）の一方には、前記カバー（２０）が必要以上に開くのを抑制する抑制片（２８）が設けられ、
前記カバー（２０）又はハウジング（１０）の他方には、前記カバー（２０）の開きが所定量以上になると、前記抑制片（２８）と面接触する当接部（１０ａ１２）が設けられていることを特徴とするカードコネク（１）。
【請求項２】
前記抑制片（２８）は、前記カバー（２０）の後端に片持ち梁状に延出して設けられ、
前記当接部（１０ａ１２）は、ハウジング後端部（１０ａ１）に設けられていることを特徴とする請求項１に記載のカードコネクタ（１）。
【請求項３】
前記カバー（２０）の開閉は前記ハウジング（１０）に対して回動することによりなされ、前記ハウジング後端部（１０ａ１）は、前記カバー（２０）の回動中心を有するとともに、円弧形状の上部（１０ａ１１）と矩形状の下部（１０ａ１２）とからなり、
前記上部（１０ａ１１）の曲率中心（Ｃ）と前記カバー（２０）の回動中心（Ｃ）とは同じにされ、
前記カバー（２０）の回動時、前記抑制片（２８）は、前記カバー（２０）が前記所定量開くまでは、前記上部（１０ａ１１）に沿って移動し、
前記カバー（２０）が前記所定量以上開くと、前記抑制片（２８）は前記下部（１０ａ１２）に面接触することを特徴とする請求項２に記載のカードコネクタ（１）。
【発明の詳細な説明】
【０００１】
【発明の属する技術分野】
本発明は、携帯電話等の携帯機器に用いるカードコネクタに関する。
【０００２】
【従来の技術】
携帯機器、例えば携帯電話では、加入者識別情報の他に、電話番号や着信音のメロディ情報等を記憶できる記憶用のメモリＩＣカード（以下「ＩＣカード」と称する）を装着可能なものがある。
【０００３】
ＩＣカードは、携帯電話本体に取り付けられたカード接続用コネクタ（以下「カードコネクタ」と称する）に対して挿抜可能であり、カードコネクタにＩＣカードを装着すると、当該カードに記憶されている情報を利用できるため、携帯電話の汎用性を高められる（例えば、特許文献１参照。）。
【０００４】
【特許文献１】
特開平１０−１０６６７４号公報（図１）
【０００５】
図８は携帯電話３００に取り付けられる従来のカードコネクタ３０１を示す。
【０００６】
カードコネクタ３０１は、基台となるハウジング３０５と、ハウジング３０５に対して回動軸３０７を中心に回動するカバー３０９とを備えている。
【０００７】
またカードコネクタ３０１は、携帯電話３００の凹部３００ａに収納され、前記ハウジング３０５に取り付けられた端子を携帯電話側の図示しない基板に半田付けすることで固定される。
【０００８】
当該固定状態で、カバー３０９は、前記凹部３００ａの開口縁３００ａ１に当接するまで開けられる。
そして、カバー３０９を図８に示すように開いた状態で、ＩＣカード３０８はカバー３０９に対して挿抜される。
【０００９】
ところで、何らかのはずみにカバー３０９を勢いよく開いてしまい、携帯電話３００の凹部開口縁３００ａ１にカバー３０９が当たるとカバー３０９は梃子として機能するようになる。すなわちカバー３０９が凹部開口縁３００ａ１と当接する箇所が支点となり、カバー３０９の自由端側が力点となり、カバー３０９の回動軸３０７側が作用点となって、カバー３０９の回動力がハウジング３０５を持ち上げる力となる。しかしながらカードコネクタ３０１は、そのハウジング３０５が既述のように携帯電話３００側の基板に固定されていて動かないため、カバー３０９の回動力が強ければ、カバー３０９は、変形や破損をしてしまったり、回動軸３０７の部分でハウジング３０５から外れてしまったりすることが考えられる。
【００１０】
そこで、カバー３０９には、抑制片（ストッパ部）３１１が設けられ、カバー３０９が必要以上に開かないようにしている。
【００１１】
しかし、この抑制片３１１はその縁３１１ａの先端がハウジング３０５（詳しくは下面３０５ａ）に当接することとなりその当接は線接触となる。線接触は面接触に比べ応力が分散されにくく集中応力を生じ易い。それ故、譬えカバー３０９が抑制片３１１を有していても既述のようにカバー３０９の回動力が強ければ、集中応力等によるカバーの変形や破損及びハウジングからの外れを防止するには不十分な場合もありえる。
【００１２】
【発明が解決しようとする課題】
本発明は、上記実情に鑑みて為されたものであり、その解決しようとする課題は、ハウジングに対して開閉式のカバーを開いた時にカードの挿抜を行うカードコネクタにおいて、カバーを勢いよく回動してしまった場合でもその回動力を十分緩和させることにより、カバーがハウジングから外れてしまったり、変形や破損をしたりすることを十分に防止することにある。
【００１３】
【課題を解決するための手段】
上記した課題を解決するために、本発明は、ハウジングに対してカバーが必要以上に開くのを抑制する抑制片を有するようにし、カバーの開きが所定量以上になった時に、抑制片とハウジングとの接触量を一気に増大することで、集中応力の発生を緩和するようにした。
【００１４】
すなわち、本発明カードコネクタは、ハウジングに対して開閉式のカバーを開いた時にカードの挿抜がなされるカードコネクタにおいて、前記カバー又はハウジングの一方には、前記カバーが必要以上に開くのを抑制する抑制片が設けられ、
前記カバー又はハウジングの他方には、前記カバーの開きが所定量以上になると、前記抑制片と面接触する当接部が設けられていることを特徴とする。
【００１５】
本発明では、カバーの開きが所定量以上になると抑制片が当接部と面接触するので、応力が分散されて集中応力が発生しにくくなる。
【００１６】
抑制片は片持ち梁状に延出して設けると好適である。この場合、抑制片の自由端側に外力が加わると抑制片は曲げモーメントを受けて、外力に応じた応力（抑制片内部の抵抗力）を生じる。当該応力の大きさに合わせて抑制片には弾性エネルギーが蓄えられ、その蓄積量に応じて抑制片に弾力が発生する。
【００１７】
そして、カバーが必要以上に開いた場合において、その時の回動力を前記弾力により打ち消すことができるように、抑制片の設置箇所を決める。換言すれば、カバーにおける前記抑制片の設定箇所を、カバーが所定量開かれると前記抑制片の自由端側が前記ハウジングに当接してカバーの回動を抑制する箇所にする。
【００１８】
例えば、抑制片をカバーに設け、当接部をハウジング後端部に設ける。
【００１９】
また、前記カバーの開閉は前記ハウジングに対して回動することによりなされ、前記ハウジング後端部は、前記カバーの回動中心を有するとともに、円弧形状の上部と矩形状の下部とからなり、前記上部の曲率中心と前記カバーの回動中心とは同じにされ、前記カバーの回動時、前記抑制片は、前記カバーが前記所定量開くまでは、前記上部に沿って移動し、前記カバーが前記所定量以上開くと、前記抑制片は前記下部に面接触するようにしてもよい。
【００２０】
本発明に係るカードコネクタを携帯機器に形成した凹部に収納した場合において、勢いよくカバーを回動してしまいカバーが携帯機器の凹部開口縁に当たり、もってカバーが梃子として機能してしまうような場合でも、前記抑制片の弾力により回動力延いては梃子の力を抑制できる。
【００２１】
しかもカバーが所定量以上開いたら、抑制片とハウジング後端部とは面接触するのでカバーにもハウジングにも集中応力は発生しにくい。よってカバーがハウジングから外れてしまったり、変形や破損をしたりしないようにできる。
【００２２】
【発明の実施の形態】
以下、図１〜図７を参照して、本発明カードコネクタの実施の形態（以下「実施形態」という）を説明する。
【００２３】
カードコネクタ１は、ＩＣカード（以下、カード）２を携帯機器、例えば携帯電話３に取り付けるためのものである。この実施形態では、図１に示すように、携帯電話３の筐体３ａに形成した取付凹部３ｂにカードコネクタ１を取り付けた状態を示す。
【００２４】
カードコネクタ１は、例えば図２，４に示すように、カード２の挿抜が可能である金属製のカバー２０と、カバー２０の基台であり、かつモールド成型されたハウジング１０とを有する。
【００２５】
カバー２０はハウジング１０の長手方向に対してスライドし（図２，４参照）、スライド方向における後端側でハウジング１０に対して回動する（図１，５参照）。
【００２６】
本明細書において前後とは、カバー２０の自由端側（カード挿入口側）が前であり、カバー２０の基軸側が後である。また、左右とは、カバー２０の前方に正対したときの右と左をいう。そして上下とは、同じくカバー２０に正対して上と下をいう。
【００２７】
カバー２０は、カード２とほぼ同じ大きさである。またカバー２０とハウジング１０とはハウジング１０の方が短い（図２，３参照）。
【００２８】
また、カバー２０は、カード２を抱え込めるように、横断面でほぼコ字形状をしている（図１参照）。すなわちカバー２０は、カード２がカバー２０に挿入された時にカード２の表裏面であるカード主面２ｃ（図１，２参照）を覆う主面部２１と、主面部２１の両側縁から垂下してカード２の左右側面を覆う左右側壁２２ｌ，２２ｒとを有する（図１，３，５参照）。
【００２９】
左右側壁２２ｌ，２２ｒの後端部は、長手方向後方に延びる一端固定他端自由な一対の支持片２４，２４となっている。そして、これら一対の支持片２４，２４の自由端部２４ａ，２４ａの中心を結ぶ仮想の軸線２４ｃ（図３，５参照）を回動中心軸として、カバー２０が、ハウジング１０に支持された状態で、時計回りに又は反時計回りに自在に回動される。
【００３０】
各支持片２４は、カバーの内側に曲折するクランク形状をしており、その自由端部２４ａはほぼ円形である。また、自由端部２４ａの中央には内側に突設する円錐形凸部２４ｂがプレス成形されている。そして各支持片２４の円錐形凸部２４ｂの頂点同士を結んだ線が前記軸線２４ｃである。
【００３１】
また例えば図１からわかるように、左右側壁２２ｌ，２２ｒの長手方向における中央部よりもわずかに後方には、適度の間隔を空けて内側に曲折された横断面Ｌ字形の爪部２６，２６を有する。爪部２６は、ハウジング１０に係止してカバー２０の閉状態を維持するためのものである。
【００３２】
さらに、カバー２０の主面部２１の後端部（後端）２１ａのうち、各支持片２４，２４寄りのそれぞれの箇所には、片持ち梁状の長片２８が後方に延出して設けられている。長片２８は支持片２４よりも幾分短い。なお、符号２１ａ１は、カバー２０に挿入されたカード２を支持する支持片である（図２〜図５参照）。
【００３３】
各長片２８は、カバー２０が所定量（この実施形態ではハウジング１０に対して例えば略９０°）開いたとき（図１，５参照）に、その自由端部２８ａが、ハウジング１０に当接し、これが妨げとなって、カバー２０が必要以上に開く（回動する）のを抑制する抑制片として機能する。長片２８はひずむので、カバー２０の開き具合（回動量）によっては弾性限度の範囲内でカバー２０は９０°よりも開く。なお、ここでいう必要以上に開くとは、カバー２０にカード２を挿抜するにあたって予め定められていた開度（本実施形態では略９０°）よりもカバー２０が開くことをいう。また予め定められていた開度とは、カバー２０が自立してその開状態を維持できる最大開度のことである。
【００３４】
長片２８の形成箇所は、前記形成箇所に限られないことは勿論である。要はカバー２０が所定量以上開くと、長片２８がハウジング１０に当接してこれが妨げとなり、カバー２０のそれ以上の回動を抑制する箇所であればよい。
よって、カバー２０の開度は９０°に限られないことは勿論であり、鈍角でも鋭角でもよい。
【００３５】
ハウジング１０は、図２，３から概略わかるように、その全体形状は板形状をしている。そして、カバー２０にカード２を挿入した状態でカバー２０を閉じると、カード２と携帯電話３とが電気的に接続され、カードに記憶されている情報を携帯電話３で利用できるようになる。当該電気的な接続を実行するためにハウジング１０には複数のコンタクト１１（一部のコンタクトを部分的に図５，６に示す）を有する。
【００３６】
またハウジング１０は、カバー２０を回動したりする機構及び閉じたカバー２０の閉状態に関わる機構を備えている。当該機能に関わる部位がハウジング１０の側縁部（以下、ハウジンング側縁部）１０ａの後端部（以下、ハウジング後端部）１０ａ１である。
【００３７】
ハウジング後端部１０ａ１はその形状が、円弧形状の上部１０ａ１１と矩形状の下部１０ａ１２とからなるかまぼこ型である（図６参照）。そして後端部１０ａ１はその外側面に前後方向（長手方向）において隣接する２つの凹部１２，１３を有しており（図３〜６参照）、凹部１２がカバー２０を回動するための凹部として、また凹部１３がカバー２０の閉状態に関わる凹部として機能する。  そして、後方に位置する一方の凹部１２は、そこにカバー２０の前記円錐形凸部２４ｂを嵌合することで、カバー２０をハウジング１０に対して回動するための円錐形凹部である。よって凹部１２を回動用円錐凹部１２と呼称するとともに凹部１２はカバー２０の回動中心Ｃとなる。また、凹部１２は上部１０ａ１１の曲率中心Ｃでもある。またハウジング後端部１０ａ１は、その外側面に回動用円錐凹部１２に対して鉛直方向に延びる扁平な縦溝（以下、扁平溝）１２ａ（図２〜４，６参照）が形成されている。扁平溝１２ａは、横断面で劣弧形状をした浅めの溝である（図６）。扁平溝１２ａは、回動用円錐凹部１２に円錐形凸部２４ｂを挿脱する際の案内溝として機能する。
【００３８】
また、他方の凹部１３は、回動用円錐凹部１２よりも前方に位置する。当該凹部１３には、カバー２０を一旦閉じた後、カバー２０をハウジング１０に対して前方にスライドすると、それまで回動用円錐凹部１２に嵌合していた円錐形凸部２４ｂが回動用円錐凹部１２から外れて嵌合する  。そして、当該嵌合を契機に、カバー２０は、ハウジング１０に対してロックされ閉状態を維持する。よって、凹部１３をロック用円錐凹部１３という。ただし、円錐形凸部２４ｂをロック用円錐凹部１３に嵌合しただけではカバー２０はロックされない。ロックは、カバー２０の前記爪部２６をハウジング１０に掛止することで行われる。このため、ハウジング側縁部１０ａの外側面には、爪部２６をハウジング１０に掛止するための爪部挿入凹部１４，１４（図２，４参照）を有する。爪部挿入凹部１４に爪部２６が挿入されることによって、爪部２６がハウジング１０に掛止される。
【００３９】
よってロック用円錐凹部１３は、カバー２０をその爪部２６によってハウジング１０に掛止するための位置決め用穴として機能する。
【００４０】
ロック用円錐凹部１３は、図６からわかるようにその右上部が切り欠かれた形状をしている。当該切り欠かれたロック用円錐凹部１３に円錐形凸部２４ｂを嵌合しても円錐形凸部２４ｂがロック用円錐凹部１３から外れなければ問題ない。むしろ切り欠いたことでハウジング成型材料を節約できる。
【００４１】
ハウジング１０にカバー２０を取り付けるには、カバー２０の一対の支持片２４，２４の各自由端部２４ａに形成されている円錐形凸部２４ｂを扁平溝１２ａに入れた後、回動用円錐凹部１２に向けてカバー２０を移動する（図６参照）。すると、円錐形凸部２４ｂおよび回動用円錐凹部１２がやがて嵌合し（図５〜７参照）、もってハウジング１０にカバー２０が回動自在に取り付けられる。
【００４２】
なお、カバー２０の円錐形凸部２４ｂをロック用円錐凹部１３に嵌合した場合、カバー２０をハウジング１０に対して回動すること自体は可能である。しかし、円錐形凸部２４ｂとロック用円錐凹部１３との嵌合は正規の嵌合ではないので、カバー２０をうまく閉じることはできない。
【００４３】
図７に示すように、抑制片である長片２８は、カバー２０の回動に併せて、回動中心周りを上部１０ａ１１沿いに近接（又は当接）しながら、かつカバー２０が９０°開くまで移動する。そして、カバー２０の回動角がほぼ９０°になると、それまで上部１０ａ１１に対していた長片２８は、下部１０ａ１２の後端面１０ａ１２’で面接触の状態で当接する（図５，７参照）。下部１０ａ１２をこの明細書では当接部という。
【００４４】
また、カバー２０を閉じた後、カバー２０をハウジング１０の長手方向前方にスライドすると、爪部挿入凹部１４と爪部２６とが係止するため、カバー２０はロックされて閉状態を維持する（図４参照）。ロックを解くにはカバー２０を今度は後方にスライドする（図２参照）。当該後方へのスライドにより、爪部挿入凹部１４と爪部２６との前記係止が解かれるので、カバー２０を開けられるようになる。
【００４５】
円錐形凸部２４ｂと回動用円錐凹部１２とを嵌合してからカバー２０をハウジング１０から離れる方向に回動することで、すでに述べているようにカバー２０は開く。そして、この実施形態では、カバー２０をほぼ９０°開いた状態で、ハウジング１０に対するカード２の挿抜を行う場合を例示する。
【００４６】
そしてカバー２０をハウジング１０に向けて回動することで、両者２０，１０は重なり合い、カバー２０が閉じる。当該閉状態でカバー２０を前方にスライドすると、爪部２６が爪部挿入凹部１４に挿入されてロックされ、カバー２０はハウジング１０に対して開かなくなり、カバー２０に対するカード２の抜き差しができなくなる。
【００４７】
加えて、カバー２０は、長片２８を有する。長片２８は既述のように、一端固定他端自由な片持ち梁形状をしている。
【００４８】
よって長片２８の自由端側に外力が加わると長片２８は曲げモーメントを受けて、湾曲し、外力に応じた応力（長片内部の抵抗力）を生じる。当該応力の大きさに合わせて長片２８には弾性エネルギーが蓄えられ、この弾性エネルギーに応じて長片２８には弾力が生じる。当該弾力をカバー２０の回動力を抑制する力として利用する。
【００４９】
したがって、このような長片２８を有するカードコネクタ１を携帯電話３の取付凹部３ｂに収納した場合において、カバー２０が勢いよく回動されてカバー２０が９０°以上開くと（図１，５参照）、長片２８は図５に二点鎖線で示すように、その自由端側がハウジング後端部１０ａ１の下部１０ａ１２に当接しつつ中央部が前方に向けて突出するよう弓状に湾曲する。すると、長片２８には既述のように弾性エネルギが蓄えられて弾力が発生し、この弾力は、長片２８を元の状態（図５に実線で示すまっすぐな長片２８参照）に戻す力（図５の矢印ａ参照）として作用し、当該戻す力はカバー２０を閉じる方向に作用するので、カバー２０を回動しようとする力（回動力）が弱められる。
【００５０】
しかも、当接部である下部１０ａ１２において長片２８は面接触するのでカバー２０にもハウジング１０にも集中応力は発生しにくい。
【００５１】
したがって、従来のようにカバー２０を勢いよく開いてしまったことに起因して、カバー２０が外れてしまったり、変形や破損をしたりしないようにできる。
【００５２】
また、この実施形態では抑制片である長片２８を左右側壁２２ｌ，２２ｒ寄りにそれぞれ設けたものを示したが、これに限定されるものではなく、カバー２０の後端縁のほぼ全域に設けるようにし、これに対応させてハウジングに形成される当接部をハウジング１０の後端縁のほぼ全域に設けることも考えられる。また、長片をカバーでなくハウジングに設け、当接部をカバーに設けることも考えられる。
【００５３】
なお、カバーが倒れないように、カバーの動きを抑止するストッパーがあるのが好ましい。また、カバー開度が９０度でなく鈍角又は鋭角である場合、それに併せて当接部の角度も変更するのが好ましい。この場合にもストッパーがあるのが好ましい。
【００５４】
【発明の効果】
以上、説明したように本発明のカードコネクタによれば、ハウジングに対して開閉式のカバーを開いた時にカードの挿抜を行うカードコネクタにおいて、前記カバー又はハウジングの一方には、前記カバーが必要以上に開くのを抑制する抑制片が設けられ、前記カバー又はハウジングの他方には、前記カバーの開きが所定量以上になると、前記抑制片と面接触する当接部を設けたので、カバーがハウジングから外れてしまったり、変形や破損をしたりすることを防止できる。
【図面の簡単な説明】
【図１】本発明の実施形態に係るカードコネクタを携帯電話に適用した場合の一例を示す図である。
【図２】本発明の実施形態に係るカードコネクタにカードを挿入し、カバーを閉じた状態の全体斜視図である。
【図３】図２の平面図である。
【図４】図２の状態からカバーをハウジングに対してスライドさせた状態を示す図である。
【図５】本発明の実施形態に係るカードコネクタを後方斜め下から見た斜視図である。
【図６】ハウジングの支持片の要部拡大図である。
【図７】ハウジングの支持片と長片との動作説明図である。
【図８】従来技術を説明するための図である。
【符号の説明】
１  カードコネクタ
２  カード
２ｃ  カード主面
３  携帯電話
３ａ  筐体
３ｂ  取付凹部
３ｂ１  凹部開口縁
１０  ハウジング
１０ａ  ハウジング側縁部
１０ａ１  ハウジング後端部
１０ａ１１  上部
１０ａ１２  下部（当接部）
１０ａ１２’後端面
１１  コンタクト
１２  回動用円錐凹部
１２ａ  扁平溝
１３  ロック用円錐凹部
１４  爪部挿入凹部
２０  カバー
２１  主面部
２１ａ  後端部（主面部の）
２２ｌ  左側壁
２２ｒ    右側壁
２４  支持片
２４ａ  自由端部
２４ｂ  円錐形凸部
２４ｃ  軸線
２６  爪部
２８  長片
２８ａ  自由端部（長片の）
３００  携帯電話
３００ａ  凹部
３００ａ１  凹部開口縁
３０１  カードコネクタ
３０５  ハウジング
３０５ａ  下面
３０７  回動軸
３０８  カード
３０９  カバー
３１１  抑制片
３１１ａ  縁
Ｃ  回動中心，曲率中心
ａ  矢印
【図１】
2004335398.tif 000003
【図２】
2004335398.tif 000004
【図３】
2004335398.tif 000005
【図４】
2004335398.tif 000006
【図５】
2004335398.tif 000007
【図６】
2004335398.tif 000008
【図７】
2004335398.tif 000009
【図８】
2004335398.tif 000010